(57)【特許請求の範囲】
【請求項１】
加圧流体供給源の加圧流体出口と加圧流体受入装置の受入管とが嵌め合わせて結合され、前記加圧流体出口と前記受入管を経て加圧流体が前記加圧流体受入装置に供給される加圧流体供給システムにおいて、前記加圧流体出口と前記受入管の結合部からの前記加圧流体の漏れを防ぐパッキンを前記結合部に装着するためのパッキン装着構造であって、
前記加圧流体受入装置に前記受入管の両側において前記受入管の突設方向と平行に延びる両側の側壁を有する結合枠が設けられ、その結合枠の両側の側壁の対向面に前記受入管と直交する面に沿って開口する溝が形成されており、
前記パッキンは、前記受入管に嵌合されるパッキン本体と、そのパッキン本体の外周から少なくとも両側方に突出する突片とを備え、かつ、前記パッキンは、前記両側方に突出する突片を縦または斜めにした状態で前記結合枠の両側の側壁の間に挿入可能であり、
前記パッキンは、前記パッキン本体が前記受入管に嵌合された状態で、前記受入管を回転ガイドとして回転されると、前記両側方に突出する突片が前記結合枠の両側の前記溝に嵌合して保持されることを特徴とするパッキン装着構造。
【請求項２】
請求項１に記載のパッキン装着構造において、前記加圧流体供給源と前記加圧流体受入装置は、酸素ボンベとデマンドバルブであることを特徴とするパッキン装着構造。
【請求項３】
請求項１または２に記載のパッキン装着構造において、前記パッキンは、前記加圧流体受入装置の受入管に嵌合されるパッキン本体と、そのパッキン本体の外周から両側方および上方に突出する突片とを有するものであることを特徴とするパッキン装着構造。
【請求項４】
加圧流体受入装置の受入管に嵌合可能なパッキン本体と、そのパッキン本体の外周から両側方に突出する、前記加圧流体受入装置の結合枠の両側の側壁の溝に嵌合可能な突片とを有するパッキン。
【請求項５】
加圧流体受入装置の受入管に嵌合可能なパッキン本体と、そのパッキン本体の外周から両側方および上方に突出する突片とを有し、両側方に突出する突片は、前記加圧流体受入装置の結合枠の両側の側壁の溝に嵌合される突片であり、上方に突出する突片は工具で把持して回転力を与えるための突片であることを特徴とするパッキン。
【請求項６】
ヨーク結合枠を有するデマンドバルブにおいて、前記ヨーク結合枠の加圧流体供給源のヨークバルブを挿入する孔を形成する両側壁の内面に、パッキン本体と、そのパッキン本体の外周から少なくとも両側方に突出する突片とを有するパッキンの前記両側方に突出する突片を嵌合する溝を備えたデマンドバルブ。
【発明の詳細な説明】
【技術分野】
【０００１】
本発明は、パッキン装着構造、パッキンおよびデマンドバルブに関する。
【背景技術】
【０００２】
加圧流体供給源から加圧流体を加圧流体受入装置に供給するシステムには、前者に設けた加圧流体出口（以下、単に出口という。)に後者に設けた加圧流体受入管（以下、単に受入管という。）の端部を嵌め合わせて結合し、出口と受入管を経て加圧流体を加圧流体受入装置側に供給するものがある。そして、出口と受入管の結合部からの加圧流体の漏れを防ぐため、結合部にパッキンが装着される。
【０００３】
加圧流体供給源の出口に加圧流体受入装置の受入管を分離可能に結合して、出口から受入管を経て加圧流体を加圧流体受入装置側に供給するシステムの一例として、加圧流体供給源である高圧酸素容器（以下、酸素ボンベという。)に、加圧流体受入装置である呼吸同調型酸素供給装置（以下、デマンドバルブという。）を分離可能に結合してなる医療用酸素供給装置がある。この医療用酸素供給装置は、呼吸器疾患の患者が医師の処方の下、在宅酸素療法に用いるものであり、家庭や介護施設等または外出時において使用される。そして、酸素ボンベに収容されている加圧酸素が消費されたときは、その酸素ボンベを新しい酸素ボンベと交換し、その新しい酸素ボンベの出口にデマンドバルブの受入管を嵌め合わせ、パッキンを介在させて結合する必要がある。
【０００４】
このように、加圧流体供給源の出口と加圧流体受入装置の受入管との結合・分離を行うシステムにおいては、従来は、リング状のパッキンが使用されている。そして、パッキンは、加圧流体受入装置の受入管の外周に装着され、加圧流体供給源の出口が設けられている側面と、加圧流体受入装置の受入管が突設されている壁面との間に挟持される。
【０００５】
図１５は、既存の医療用酸素供給装置の一例を示す斜視図であり、図１６はその分解斜視図である。この医療用酸素供給装置は、酸素ボンベ１０と、この酸素ボンベ１０に着脱可能に結合されるデマンドバルブ２０とからなる。酸素ボンベ１０のヨークバルブ部１１の側面に水平に開口する出口１２が設けられ、その出口１２の至近位置、たとえば、下側に位置決め用ピン孔１３が設けられている。また、ヨークバルブ部１１の上端部に、出口１２からの酸素の排出・停止を決める回転式の開閉弁１４が取付けられている。さらに、ヨークバルブ部１１の付け根に酸素ボンベ１０内の酸素残量を示す圧力計１５が取付けられている。
【０００６】
一方、デマンドバルブ２０は、デマンドバルブ本体２１と、このデマンドバルブ本体２１から延長するヨーク結合枠２２とを有する。デマンドバルブ本体２１の中には、図示されていないが、圧力調整部と流量調整部と狭義のデマンドバルブ部とが酸素流路に設けられている。また、デマンドバルブ本体２１の外面に、酸素流路の圧力により動作される残量表示部２３が設けられている。デマンドバルブ本体２１には、圧力調整および流量調整をされた酸素を患者の鼻孔に供給する鼻カニューレが結合されるが、図示を省略してある。
【０００７】
従来のデマンドバルブ２０の多くは、機械式または空圧式であり、流量調整部(図示せず)は手動で調整される。また、デマンドバルブ２０の使用者の吸気が異常であっても、これを検出したり、表示したりする手段を備えていない。
【０００８】
ヨーク結合枠２２は、上下方向に貫通する平面視矩形の孔２４を有する。この孔２４は、酸素ボンベ１０のヨークバルブ部１１をヨーク結合枠２２の長手方向に対して直角方向に挿入すること、および、挿入されたヨークバルブ部１１に対して直角方向にデマンドバルブ２０を移動することを可能にする。また、ヨーク結合枠２２のデマンドバルブ本体２１側の壁面にデマンドバルブ本体２１と反対方向に突出する受入管２５ (図１７,１８参照）を有し 、その受入管２５の至近位置、たとえば下側に位置決め用ピン２６(図１７,１８参照）が設けられている。さらに、ヨーク結合枠２２の前端部、すなわち、デマンドバルブ本体２１と反対側の部分に、中心軸がヨーク結合枠２２の長手方向と平行なねじ孔２７が貫通されていて、孔２４の外側からねじ孔２７に固定ボルト２８の雄ねじ部２８ａがねじ込まれている。
【０００９】
上記酸素ボンベ１０にデマンドバルブ２０を取り付けるときは、固定ボルト２８を緩めた状態でデマンドバルブ２０のヨーク結合枠２２の孔２４に酸素ボンベ１０のヨークバルブ部１１を挿入し、そのヨークバルブ部１１のピン孔１３をヨーク結合枠２２のピン２６に対向させる。また、酸素ボンベ１０の出口１２をデマンドバルブ２０の受入管２５の先端に対向させた状態で、酸素ボンベ１０のヨークバルブ部１１とデマンドバルブ本体２１とを互いに接近する方向に移動して、ピン孔１３とピン２６および出口１２と受入管２５をそれぞれ嵌合して、位置決めをする。その後、固定ボルト２８をしっかりとねじ込むことにより、ヨークバルブ部１１をデマンドバルブ本体２１側に押して、出口１２と受入管２５を嵌め合わせて結合する。図１５は、上記のようにして、酸素ボンベ１０にデマンドバルブ２０が取付けられた状態を示す。
【００１０】
ここで、デマンドバルブ２０の受入管２５の根元部の外周には、図１７〜図１９に示すように、台座２９が固着されていて、その台座２９から突出している受入管２５に、内径が受入管２５の外径とほぼ等しいリング状のパッキン３０が予め装着されている。そして、固定ボルト２８の締め付けが終了した時には、図１９に示すように、パッキン３０は酸素ボンベ１０の出口１２の周囲の壁面と台座２９の正面との間に挟み込まれた状態で保持される。
【先行技術文献】
【特許文献】
【００１１】
【特許文献１】登録実用新案第３０９９０１６号公報
【発明の概要】
【発明が解決しようとする課題】
【００１２】
従来のパッキン装着構造は、上記のとおりである。そのため、酸素ボンベ１０の交換時に、固定ボルト２８を緩めた後、酸素ボンベ１０のヨークバルブ部１１をデマンドバルブ２０のヨーク結合枠２２のデマンドバルブ本体２１と反対方向に移動するときに、図２０に示すように、パッキン３０が酸素ボンベ１０の出口１２に貼り付いて、酸素ボンベ１０とともに持ち去られてしまうしまうことがある 。
【００１３】
そのため、酸素ボンベ１０の交換後、新しい酸素ボンベを用いる際に、出口と受入管の結合部から酸素漏れや、酸素漏れによる騒音発生などの不都合が生じる虞がある。パッキンの予備品を置くことも考えられるが、その管理は容易でない。
【００１４】
本発明は、上記問題点に鑑みてなされたものであり、加圧流体供給源が交換される際に、パッキンが持ち去られることなく、また、不用意に脱落することもなく加圧流体受給装置に保持されるようにしたパッキン装着構造およびパッキンを提供することを目的とする。
【課題を解決するための手段】
【００１５】
本発明は、上記目的を達成するため、加圧流体供給源の加圧流体出口と加圧流体受入装置の受入管とが嵌め合わせて結合され、前記加圧流体出口と前記受入管を経て加圧流体が前記加圧流体受入装置に供給される加圧流体供給システムにおいて、前記加圧流体出口と前記受入管の結合部からの前記加圧流体の漏れを防ぐパッキンを前記結合部に装着するためのパッキン装着構造であって、前記加圧流体受入装置に前記受入管の両側において前記受入管の突設方向と平行に延びる両側の側壁を有する結合枠が設けられ、その結合枠の両側の側壁の対向面に前記受入管と直交する面に沿って開口する溝が形成されており、前記パッキンは、前記受入管に嵌合されるパッキン本体と、そのパッキン本体の外周から少なくとも両側方に突出する突片とを備え、かつ、前記パッキンは、前記両側方に突出する突片を縦または斜めにした状態で前記結合枠の両側の側壁の間に挿入可能であり、前記パッキンは、前記パッキン本体が前記受入管に嵌合された状態で、前記受入管を回転ガイドとして回転されると、前記両側方に突出する突片が前記結合枠の両側の前記溝に嵌合して保持されることを特徴とする。
【００１６】
上記パッキン装着構造は、加圧流体供給源と加圧流体受入装置が、酸素ボンベとデマンドバルブである場合に、とくに好適である。
【００１７】
前記パッキンは、加圧流体受入装置の受入管に嵌合されるパッキン本体と、そのパッキン本体の外周から両側方および上方に突出する突片とを有するものであることを特徴とする。また、前記パッキンは、加圧流体受入装置の受入管に嵌合可能なパッキン本体と、そのパッキン本体の外周から両側方および上方に突出する突片とを有し、両側方に突出する突片は、前記加圧流体受入装置の結合枠の両側の側壁の溝に嵌合される突片であり、上方に突出する突片は工具で把持して回転力を与えるための突片であることを特徴とする。
【００１８】
さらに、本発明は、ヨーク結合枠を有するデマンドバルブにおいて、前記ヨーク結合枠の加圧流体供給源のヨークバルブを挿入する孔を形成する両側壁の内面に、パッキン本体と、そのパッキン本体の外周から少なくとも両側方に突出する突片とを有するパッキンの前記両側方に突出する突片を嵌合する溝を備えたことを特徴とする。
【発明の効果】
【００１９】
以下、段落番号が順次１繰り下げ
本発明によれば、装着されたパッキンは、パッキン本体が加圧流体受入装置の受入管に嵌合し、両側の突片が結合枠の両側の溝に嵌合した状態で保持されるので、加圧流体受入装置を加圧流体供給源から分離する際にパッキンが脱落したり、加圧流体供給源とともに持ち去られることがない。 
【図面の簡単な説明】
【００２０】
【図１】本発明の実施の形態に係るパッキン装着構造の要部およびパッキンを装着する過程の最初ステップを示す分解斜視図である。
【図２】同じくパッキンを装着する過程の中間ステップを示す斜視図である。
【図３】同じくパッキンを装着する過程の最終ステップを示す斜視図である。
【図４】パッキンが装着された状態を示す平面図である。
【図５】第１種のパッキンを示す斜視図である。
【図６】第２種のパッキンを示す斜視図である。
【図７】第１種のパッキンの展開図である。
【図８】第２種のパッキンの展開図である。
【図９】デマンドバルブの一例の外観を示す斜視図である。
【図１０】デマンドバルブの他の例の外観を示す、正面側よりもやや上方側から見た斜視図である。
【図１１】図１０のデマンドバルブの正面側から見た斜視図である。
【図１２】図１０のデマンドバルブのデマンドバルブ本体のカバーを取り除いた状態の斜視図である。
【図１３】図１２のデマンドバルブの正面図である。
【図１４】図１２のデマンドバルブを主たる構成要素に分解して示す斜視図である。
【図１５】従来の医療用酸素供給装置の斜視図である。
【図１６】図１５の医療用酸素供給装置のデマンドバルブを酸素ボンベから分離した状態の斜視図である。
【図１７】図１６のデマンドバルブと、これに装着されるパッキンの斜視図である。
【図１８】図１７のデマンドバルブにパッキンを装着した状態の斜視図である。
【図１９】図１５の酸素ボンベとデマンドバルブの結合部の、パッキンが装着されている状態を示す断面図である。
【図２０】図１５の酸素ボンベの出口をデマンドバルブの受入管から分離する際のパッキンの貼り付き状態を示す斜視図である。
【発明を実施するための形態】
【００２１】
続いて、本発明の実施の形態について図面を参照しながら説明する。この実施の形態は、加圧流体供給源の出口に加圧流体受入装置の受入管を分離可能に結合して、出口から受入管を経て加圧流体を加圧流体受入装置側に供給するシステムが、医療用酸素ボンベにデマンドバルブを分離可能に結合してなる医療用酸素供給装置である場合のものである。既述した部材と同一または相当する部材には同一の符号を用いる。
【００２２】
図１は、本発明の実施の形態に係るパッキン装着構造を示す斜視図であり、デマンドバルブ２０の一部であるヨーク結合枠２２のみと、新規なパッキン３０を示す。本発明に係るパッキン装着構造の第１の要素は、ヨーク結合枠２２の孔２４の両側に設けられたパッキン装着用の溝２１１であり、第２の要素は、そのパッキン装着用の溝２１１に嵌合される突片３３を有するパッキン３０である。
【００２３】
さらに詳述すると、ヨーク結合枠２２の酸素ボンベ１０のヨークバルブ部１１を挿通する孔２４を形成する両側の側壁２１０の内面には、互いに対向して開口する溝２１１が形成されている。これらの溝２１１は、受入管２５の先端部を通る、受入管２５の中心軸に対して直角な面上に存在する。
【００２４】
一方、パッキン３０は、図１、図５および図７に示すように、リング状のパッキン本体３１の外周から中心の孔３２に関して互いに反対方向に延びる（両側方に突出する）突片３３を有する。パッキン本体３１の中心の孔３２の内径は、ヨーク結合枠２２の受入管２５の外径と等しい。そして、突片３３の厚さは、溝２１１の幅とほぼ等しいか、それよりも若干薄い。
【００２５】
パッキン３０をデマンドバルブ２０に装着するときは、パッキン３０を図１に示すように、突片３３がほぼ垂直となる縦または斜めの状態にしたまま下降して、ヨーク結合枠２２の孔２４の中に挿入し、そのパッキン３０を台座２９の方向に移動して、パッキンの孔３２の中に受入管２５を挿入する。そして、その受入管２５を中心ガイド軸としてパッキン３０を、図２に示すように反時計方向または時計方向に回転して、パッキン３０の突片３３の先端をヨーク結合枠２２の溝２１１に嵌合し、図３に示すように、突片３３が水平状態になったとき、パッキン３０の回転を止める。
【００２６】
パッキン３０を回転する際に突片３３がヨーク結合枠２２の溝２1１に進入し易くするため、突片３３の先端を隅切りしてあることが好ましい。また、パッキン３０を表裏確認する手間を掛けずに使用できるにように、表裏対称形に形成されていることが好ましい。
【００２７】
上記のように、ヨーク結合枠２２の溝２１１は、これに受入管２５を中心ガイド軸として回転されるパッキン３０の突片３３を嵌合するためのものであるから、溝２１１の開口方向および形態は、その回転・嵌合が可能であれば、任意である。すなわち、図示の例のように、対向方向のほか、上下方向に開口する垂直な溝でも良いし、対向方向にのみ開口する円弧状の溝でも良い。
【００２８】
装着されたパッキン３０は、図３．図４に示すように、両側の突片３３がヨーク結合枠２２の溝２１１に嵌合され、パッキン本体３１が受入管２５に嵌合されているので、デマンドバルブ２０から脱落することはない。したがって、デマンドバルブ２０を酸素ボンベ１０から取り外す際に、パッキン３０が従来のように酸素ボンベ１０の出口１２に貼り付いて酸素ボンベ１０とともに持ち去られることはない。
【００２９】
パッキン３０は、パッキン本体３１の両側に突片３３が突設されたものに限らない。図６と図８に示すように、パッキン本体３１の両側の突片３３と、これらに対して直角な中間の突片３４を有するパッキン３０’を使用することもできる。このようなパッキン３０’は、中間の突片３４をペンチ等の工具で挟持し回転して容易にヨーク結合枠２２の溝２１１に嵌合することにより、パッキン３０’の装着を容易に行なうことができる。そして、装着されたパッキン３０’は、パッキン本体３１が受入管２５に嵌合され、両側の突片３３が溝２１１に嵌合されるので、デマンドバルブ２０からの脱落およびデマンドバルブ２０を酸素ボンベ１０から取り外す際の持ち去りが防止される。
【００３０】
図９は、他の実施の形態のデマンドバルブ２０Ａを示す斜視図である。このデマンドバルブ２０Ａは、デマンドバルブ本体２１の上面に酸素供給量を設定する回転式の流量設定ダイヤル２１２が設けてある。その流量設定ダイヤル２１２の周辺の一部に透明な窓２１３が設けられ、その窓２１３の下側に表示板（図示せず）が固定されている。その表示板には流量設定ダイヤル２１２の回転とともに窓２１３が移動する円弧状軌跡に沿って流量を示す数字が記載されている。したがって、流量設定ダイヤル２１２を時計方向または反時計方向に回転すると、これに伴って流量が増減するとともに、窓２１３にその流量が数字で表示される。
【００３１】
デマンドバルブ２０Ａは、酸素供給の制御方式として、電子式制御を採用している。すなわち、デマンドバルブ本体２１内に電源として乾電池（図示せず）を備えている。そして、デマンドバルブ本体２１の正面に設けられた、一例としてスライド式の切替スイッチ２１４を連続モードに切り替えると、固定オリフィスにより流量が設定され、一定の流量が連続モード時の酸素流路２３３ａおよび酸素排出部２３５を介して鼻カニューレに供給される。また、切替スイッチ２１４を同調モードに切り替えると、流量調整部を構成する電磁弁の制御により、使用者(患者)の吸気に応じ、医師により処方された流量が同調モード時の酸素流路２３３ｂおよび酸素排出部２３５を介して鼻カニューレに供給される。
【００３２】
呼吸に伴う鼻カニューレ内の空気圧の変化は、デマンドバルブ本体２１内に設けてある制御基板２３６のセンサ部にて検知される。そして、センサ部が検知した空気圧が一定のサイクルで高低の変化を継続する場合は、そのカニューレの使用者は正常に吸気をしていると判断されるので、異常検知部はデマンドバルブ本体２１の正面に設けてある、たとえばＬＥＤで構成された吸気状態表示部２１６の吸気確認ランプ２１６ａを点灯するように構成してある。これに対して、センサ部が検知した空気圧が一定のサイクルで高低の変化がなく、高圧または低圧が既定の時間以上継続した場合は、そのカニューレの使用者は正常に吸気をしていないと判断されるので、吸気状態表示部２１６の吸気故障ランプ２１６ｂを点灯または点滅するように構成してある。
【００３３】
また、デマンドバルブ本体２１内に設けてある電池残量ボタンを押下することにより電池残量が電池残量表示部２１７に与えられる。電池残量表示部２１７は、デマンドバルブ本体２１の正面に設けてある複数個（図７の例では４個）のＬＥＤで構成されている。そして、電池残量が満のとき、または多いときは、たとえば左側３個のＬＥＤがたとえば緑色に点灯しているが、電池残量が少なくなるにつれて左側から１個ずつ消灯し、電池残量が最も少なくなったとき、または空になったときは、最右側の１個がたとえば赤色に点灯または点滅するようになっている。
【００３４】
図１０〜図１４は、さらに他の実施の形態を示す斜視図である。このデマンドバルブ２０Ｂも電子式である。そして、デマンドバルブ本体２１が平坦な上面２１ａの端部から正面２１ｂの下部まで曲面で連続されている点に特徴がある。平坦な上面２１ａにはデマンドバルブ２０Ｂからカニューレに供給される酸素の流量を設定する流量設定部２１２’が設けられている。流量設定部２１２’は、増量用のタッチスイッチ２１２ａと、減量用のタッチスイッチ２１２ｂで構成されている。流量設定部２１２’には、設定された流量を数値で表示する流量表示部２１２ｃが含まれる。図１０、図１１は、設定された流量が３．００Ｌ/Ｍ（リットル／分)である場合を例示している。
【００３５】
そして、デマンドバルブ本体２１の正面の曲面には、残量表示部２１８が設けられている。この残量表示部２１８は、透明板で覆われた矩形の窓２１８ａの中の左側に横線が縦方向に等ピッチで描かれ、上部に「満」、下部に「空」の文字が書かれた目盛り２１８ｂを有する。その目盛り２１８ｂの右側に指針２１８ｃが曲面に沿って上下移動可能に設けられている。指針２１８ｃの先端は目盛り２１８ｂを指すように位置されている。さらに、窓２１８ａの右辺と目盛り２１８ｂとの間に、上部より下側に行くに連れて面積が小さくなる、ほぼ三角形の着色部２１８ｄが設けられている。こうして、デマンドバルブ２０Ｂを酸素ボンベ１０に結合して酸素供給の結果、残量が少なくなると、指針２１８ｃが曲面の窓２１８ａに沿って下降する。したがって、残量がどの程度かをイメージ的に把握することができる。
【００３６】
残量表示部２１８をデマンドバルブ本体２１の曲面に設けてあるので、作業者は起立姿勢でデマンドバルブ２０Ｂの流量設定部２１２’を操作する際に、残量表示部２１８の表示内容を上方から確認することができる。また、患者が椅子に腰かけた姿勢、またはベッドなどに横臥した姿勢でも、残量表示部２１８の表示内容を正面側から確認することができる。すなわち、残量表示部２１８の視認可能範囲が拡大されている。
【００３７】
なお、デマンドバルブ２０Ｂには、デマンドバルブ本体２１の正面２１ｂに酸素供給パターンを「切」「同調」［連続１］［連続２］に切り替える、一例としてスライド式の切替スイッチ２１４’が設けられている。
【００３８】
図１２は、図１０,１１のデマンドバルブ本体２１のカバーを取り除いて内部構成を示す斜視図であり、図１３は同じく正面図である。また、図１４は図１２の主たる構成要素を示す分解斜視図である。図１０,１１のデマンドバルブ本体２１の中には、図１２〜図１４に示すように、受入管２５から送り込まれる酸素の圧力を調整する既知の圧力調整部２３０と、圧力調整部２３０で調整された後の酸素圧力を検知し、表示する圧力検知・表示部２３１と、圧力調整部２３０から吐出される酸素の流量を調整する既知の流量調整部２３２と、流量調整部２３２から吐出される酸素を酸素流路２３３ａ、２３３ｂを介して供給され、カニューレ接続部２３４に酸素を排出する酸素排出部２３５とが設けられている。「連続」と「同調」の切替スイッチ２１４’は酸素流路の切替機構を有しており、連続モード設定時は流量調整部内に設けられた固定オリフィスにより流量が設定され、一定の流量が連続モード時酸素流路２３３ａおよび酸素排出部２３５を介して鼻カニューレに供給される。また、同調モード設定時は使用者の吸気検知により、制御基板２３６から電磁弁２３７に制御信号が与えられる。電磁弁２３７の開時間により制御された流量が同調モード時酸素流路２３３ｂおよび酸素排出部２３５を介して鼻カニューレに供給される。
【００３９】
圧力検知・表示部２３１は、ブルドン管による圧力計を用いている。そして、その圧力計の回転する直線的な指針の先端部を直角に屈曲して指針２１８ｃとしている。これにより、図１０，１１の残量表示部２１８の指針２１８ｃが目盛り２１８ｂの曲面に沿って移動することを可能にしている。
【００４０】
なお、パッキン３０,３０’のパッキン本体３１は、外側環状部と内側環状部とを接合して形成されている。外側環状部は、締め過ぎ防止のために金属などの硬質材料で形成されている。また、内側環状部は、ゴムなどの軟質材料で形成されている。さらに、内側環状部は、パッキン本体３１を受入管２５に嵌合したときの受入管２５外周面に対する密着性向上のために、パッキン本体３１の内周側部分は、外側から内側にかけて肉厚が徐々に薄くされていることが望ましい。しかし、本発明のパッキンは、上記構造のパッキン本体３１を有するものに限定されない。
【００４１】
以上には、デマンドバルブ２０Ａまたは２０Ｂを酸素供給源である酸素ボンベ１０に結合する場合について説明したが、上記パッキン装着構造およびパッキンは、配管酸素、酸素濃縮器、液体酸素装置など他の加圧流体供給装置にも同様に適用可能である。また、上記加圧流体供給源の加圧流体出口１２には、吐出管も含まれる。さらに、以上には、デマンドバルブ２０Ａまたは２０Ｂに鼻カニューレを接続する例について説明したが、酸素マスクを接続することも可能である。
【符号の説明】
【００４２】
１０    加圧流体供給源(酸素ボンベ)
１１    ヨークバルブ部
１２    出口(加圧流体出口)
１３    位置決め用ピン孔
２０,２０Ａ,２０Ｂ  加圧流体受入装置(デマンドバルブ)
２１    デマンドバルブ本体
２２    ヨーク結合枠
２１０  ヨーク結合枠の側壁
２１１  溝
２４    ヨーク結合枠の孔
２５    受入管
２６    位置決め用ピン
２９    台座
３０，３０’    パッキン
３１    パッキン本体
３２    孔
３３    突片
３４    突片
【図１】
0005918805.tif 000002
【図２】
0005918805.tif 000003
【図３】
0005918805.tif 000004
【図４】
0005918805.tif 000005
【図５】
0005918805.tif 000006
【図６】
0005918805.tif 000007
【図７】
0005918805.tif 000008
【図８】
0005918805.tif 000009
【図９】
0005918805.tif 000010
【図１０】
0005918805.tif 000011
【図１１】
0005918805.tif 000012
【図１２】
0005918805.tif 000013
【図１３】
0005918805.tif 000014
【図１４】
0005918805.tif 000015
【図１５】
0005918805.tif 000016
【図１６】
0005918805.tif 000017
【図１７】
0005918805.tif 000018
【図１８】
0005918805.tif 000019
【図１９】
0005918805.tif 000020
【図２０】
0005918805.tif 000021